(57)【要約】  骨壷収納箱であって、その中に骨壷の適宜安置を可能にする能力があると同時に、安置される該骨壷内に保管された火葬遺骨の腐敗及び劣化を最小化することができる簡素な構造を有する骨壷収納箱。本骨壷収納箱には、複数の壷受入空間を有する収納箱本体と、着脱可能に該収納箱本体に取り付けられて該壷受入空間を覆う複数のカバープレートと、該関連壷受入空間の周囲の該収納箱本体の一部分と該関連カバープレート間にそれぞれ挟入されるシール部材と、該収納箱本体の関連後壁部分からそれぞれ突出し、それぞれが該関連壷受入空間に連通する中空吸気部材と、該関連吸気部材にそれぞれ連結する弁取付部材と、該関連弁取付部材にそれぞれ嵌着され、ガスを注入穴を介して該関連吸気部材に注入できるように該注入穴が中央に設けられている注入弁とが含まれる。
2007503361.tif 000002
【特許請求の範囲】
【請求項１】
複数の壷受入空間を有する収納箱本体であり、そのそれぞれが前側で開口して骨壷を該壷受入空間内に安置することができ、該骨壷のそれぞれには火葬遺骨が保管されることを特徴とする収納箱本体と、該壷受入空間に対応する位置で該収納箱本体にそれぞれ着脱可能に取り付けられてそれぞれの該壷受入空間の前側を覆うための複数のカバープレートとを具備する骨壷収納箱であって、さらに下記も具備する骨壷収納箱。関連した該壷受入空間の１つの周囲の該収納箱本体の一部分と、関連した該壷受入空間の１つに対応する該カバープレートとの間にそれぞれ挟入されるシール部材と、関連した該壷受入空間の１つに対応する該収納箱本体の後壁の一部分からそれぞれ突出する中空吸気部材であって、該吸気部材のそれぞれが関連した該壷受入空間のそれぞれに連通することを特徴とする中空吸気部材と、関連した該吸気部材の１つにそれぞれ連結する弁取付部材と、関連した該弁取付部材の１つにそれぞれ嵌着され、ガスを該注入穴を介して該関連吸気部材に注入できるように注入穴が中央に設けられている注入弁。
【請求項２】
該注入弁のそれぞれが下記を具備することを特徴とする請求項１に係る骨壷収納箱。該関連弁取付部材に堅固に嵌着される中空弁本体であって、該弁本体がその片側に設けられており、管取付穴がその他側に設けられている一方、ガス吸気口が該関連吸気部材に連通することを特徴とする中空弁本体と、該管取付穴と該ガス吸気口間の該弁本体に形成される弁座穴であって、該弁座穴が円錐台形断面を有し、該弁座穴が該管取付穴から該ガス吸気口に延びるにつれて徐々に増加する面積を持つことを特徴とする弁座穴と、該ガス吸気口と該弁座穴間の該弁本体内に定義されたガス流路に配設されて、該ガス流路に沿って移動可能である一方、該弁座穴を介して延びるバルブステムであって、該バルブステムが該弁座穴の断面に一致する断面を有することを特徴とするバブルステムと、該バルブステム一端から該管取付穴に延びる押圧突起部と、該ガス流路に配設されて該バルブステム他端を弾性支持するバネ。
【請求項３】
請求項１に係る骨壷収納箱であって、さらに下記を具備する骨壷収納箱。関連した該弁取付部材の１つの内面にそれぞれ形成される段差と、関連した該弁取付部材の１つにそれぞれ配設されるマイクロフィルターであって、該マイクロフィルターが、関連した該段差の１つと関連した該吸気部材の１つとの間に挟入されることを特徴とするマイクロフィルター。
【請求項４】
請求項１または３に係る骨壷収納箱であって、さらに下記を具備する骨壷収納箱。該関連弁取付部材の内部に連通するように、関連した該弁取付部材の１つにそれぞれ取り付けられる安全弁。
【請求項５】
下記を特徴とする請求項１に係る骨壷収納箱。該カバープレートのそれぞれが、その中央部分で開き、該中央部分に取り付けられた透明部材を備えていること。
【請求項６】
請求項１または２に係る骨壷収納箱であって、さらに下記を具備する骨壷収納箱。注入ホースであって、その一端が関連した該吸気部材の１つにそれぞれ接続される一方、その他端が関連した該弁取付部材の１つに接続されている注入ホース。
【請求項７】
請求項１または２に係る骨壷収納箱であって、さらに下記を具備する骨壷収納箱。注入ホースであって、その一端が関連した該吸気部材の１つにそれぞれ接続されている注入ホースと、通常、該注入ホースのそれぞれの他端に接続される分配管と、該分配管に接続され、該注入弁を備える弁取付部材。
【請求項８】
請求項１または５に係る骨壷収納箱であって、さらに下記を具備する骨壷収納箱。関連した該カバープレートまたは透明部材の１つにそれぞれ取り付けられる圧力計。
【請求項９】
壷受入空間を有する収納箱本体であり、その前側で開口して骨壷を該壷受入空間内に安置することができ、該骨壷には火葬遺骨が保管されることを特徴とする収納箱本体と、該壷受入空間に対応する位置で該収納箱本体に着脱可能に取り付けられて該壷受入空間の前側を覆うためのカバープレートとを具備する骨壷収納箱であって、さらに下記も具備する骨壷収納箱。該壷受入空間の周囲の該収納箱本体の一部分と、該壷受入空間に対応する該カバープレートとの間に挟入されるシール部材と、該壷受入空間に連通する一方、該収納箱本体の後壁の一部分から突出する中空吸気部材と、該吸気部材に連結される弁取付部材と、該弁取付部材に嵌着され、ガスを該注入穴を介して該吸気部材に注入できるように注入穴が中央に設けられている注入弁。
【請求項１０】
該注入弁が下記を具備することを特徴とする請求項９に係る骨壷収納箱。該弁取付部材に堅固に嵌着される中空弁本体であって、該弁本体がその片側に設けられており、管取付穴がその他側に設けられている一方、ガス吸気口が該吸気部材に連通することを特徴とする中空弁本体と、該管取付穴と該ガス吸気口間の該弁本体に形成される弁座穴であって、該弁座穴が円錐台形断面を有し、該弁座穴が該管取付穴から該ガス吸気口に延びるにつれて徐々に増加する面積を持つことを特徴とする弁座穴と、該ガス吸気口と該弁座穴間の該弁本体内に定義されたガス流路に配設されて、該ガス流路に沿って移動可能である一方、該弁座穴を介して延びるバルブステムであって、該バルブステムが該弁座穴の断面に一致する断面を有することを特徴とするバブルステムと、該バルブステム一端から該管取付穴に延びる押圧突起部と、該ガス流路に配設されて該バルブステム他端を弾性支持するバネ。
【請求項１１】
請求項９に係る骨壷収納箱であって、さらに下記を具備する骨壷収納箱。該弁取付部材の内面に形成される段差と、該弁取付部材内に配設されるマイクロフィルターであって、該マイクロフィルターが該段差と該吸気部材間に挟入されることを特徴とするマイクロフィルター。
【請求項１２】
請求項９または１１に係る骨壷収納箱であって、さらに下記を具備する骨壷収納箱。該弁取付部材の内部に連通するように、該弁取付部材に取り付けられる安全弁。
【請求項１３】
請求項９に係る骨壷収納箱であって、下記を特徴とする骨壷収納箱。該カバープレートが、その中央部分で開き、該中央部分に取り付けられた透明部材を備えていること。
【請求項１４】
該収納箱本体が、その対向壁の外面に設けられており、複数の係合突出部及び複数の係合溝がそれぞれ該係合突出部に対応して設けられていることを特徴とする請求項９に係る骨壷収納箱。
【請求項１５】
請求項９または１３に係る骨壷収納箱であって、さらに下記を具備する骨壷収納箱。該カバープレートまたは透明部材に取り付けられる圧力計。
【発明の詳細な説明】
【技術分野】
【０００１】
本発明は、火葬遺骨を保管する複数の骨壷が安置される骨壷収納箱に関するものであって、より具体的には、骨壷の適宜安置を可能にする能力がある一方、安置される骨壷内に保管された火葬遺骨の腐敗及び劣化を最小化することができる簡素な構造を有する骨壷収納箱に関するものである。
【背景技術】
【０００２】
死者遺骨の火葬は増加傾向にある。火葬遺骨は粉末状に粉砕され、次いでボックス構造または容器構造を有する骨壷内に保管される。該骨壷は、火葬された遺骨に敬意を表すことができるように、位牌と共に屋外または屋内設置される骨壷収納箱内に安置される。
【０００３】
火葬遺骨の保管に適合した種々の骨壷が提案され重宝されている。また、骨壷の収容に適合した種々の骨壷収納箱も提案され重宝されている。
【０００４】
しかし、従来の骨壷には、該骨壷内に保管された火葬遺骨が特定期間経過後に腐敗及び退化するために悪臭を発生し、その悪臭によって空気公害や骨壷保管設備に対する損傷が引き起こされるという点に問題がある。
【０００５】
この問題を解決するために、従来の場合、納骨堂内に設置される骨壷収納箱には、骨壷内に保管された火葬遺骨の腐敗及び劣化を最小化するための種々の装置または設備が追加装備されている。しかし、この場合は、該追加装置と設備にかかる費用、及びその設置費によって引き起こされる多大な経済的損失という付加的問題もある。
【０００６】
その一方、該骨壷内に保管された火葬遺骨を腐敗または劣化させずに長期間にわたって保管するためには、骨壷の内部を高圧状態または高真空状態に維持することが必要である。最近になって、該骨壷を高圧状態または高真空状態に維持するために骨壷の構造を改善する提案がなされている。しかし、これらのほとんどの提案には、骨壷の構造が複雑であり、使用が不便であるという点で問題がある。また、該骨壷を高圧状態または高真空状態に維持することは困難である。
【０００７】
該骨壷内に保管された火葬遺骨の腐敗及び退化を防止するために、本出願人は、「火葬遺骨用骨壷」と題する韓国特許出願番号２００３-４１７４２に開示のように、経済的かつ衛生的に火葬遺骨を保管かつ維持することができる能力のある骨壷を提案している。
【発明の開示】
【発明が解決しようとする課題】
【０００８】
本発明は、従来技術で発生する前述の問題を排除するために、「火葬遺骨用骨壷」と題する韓国特許出願番号２００３-４１７４２に基づいてなされたものであって、本発明の目的は、該骨壷の適宜安置を可能にする能力がある一方、安置される該骨壷内に保管された火葬遺骨の腐敗及び劣化を最小化することができる能力のある簡素な構造を有する骨壷収納箱を提供することである。
【０００９】
本発明の別の目的は、異物が該収納箱に入ることを防止する能力のある骨壷収納箱を提供することである。
【００１０】
本発明の別の目的は、その内部を最適な状態に維持する能力のある骨壷収納箱を提供することである。
【００１１】
本発明の別の目的は、該収納箱内の骨壷の安置状態を該収納箱の外側から容易に確認できる能力のある骨壷収納箱を提供することである。
【００１２】
本発明の別の目的は、随時的な位置で、同時方式または個別方式にてそれぞれの壷受入空間内にガス注入を実現する能力のある骨壷収納箱を提供することである。
【００１３】
本発明の別の目的は、壷受入空間のそれぞれの内部圧力を該収納箱の外側から容易に確認できる能力のある骨壷収納箱を提供することである。
【００１４】
本発明の別の目的は、上記収納箱の効果と同一の効果を提供する能力のあるユニット式骨壷収納箱提供することである。
【００１５】
本発明の別の目的は、ユニット式骨壷収納箱提供することである。かかるユニット式骨壷収納箱を容易かつ便宜的に積み重ねることができる能力のある構造を有する。
【課題を解決するための手段】
【００１６】
一態様によれば、本発明は、複数の壷受入空間を有する収納箱本体であり、そのそれぞれが前側で開口して骨壷を該壷受入空間内に安置することができ、該骨壷のそれぞれには火葬遺骨が保管されることを特徴とする収納箱本体と、該壷受入空間に対応する位置で該収納箱本体にそれぞれ着脱可能に取り付けられてそれぞれの該壷受入空間の前側を覆うための複数のカバープレートとを具備する骨壷収納箱を提供するものであって、さらに、該収納箱は下記を具備する。関連した該壷受入空間の１つの周囲の該収納箱本体の一部分と、関連した該壷受入空間の１つに対応する該カバープレートとの間にそれぞれ挟入されるシール部材と、関連した該壷受入空間の１つに対応する該収納箱本体の後壁の一部分からそれぞれ突出する中空吸気部材であって、該吸気部材のそれぞれが関連した該壷受入空間のそれぞれに連通することを特徴とする中空吸気部材と、関連した該吸気部材の１つにそれぞれ連結する弁取付部材と、関連した該弁取付部材の１つにそれぞれ嵌着され、ガスを該注入穴を介して該関連吸気部材に注入できるように注入穴が中央に設けられている注入弁。
【００１７】
該注入弁のそれぞれには下記を含むことができる。該関連弁取付部材に堅固に嵌着される中空弁本体であって、該弁本体がその片側に設けられており、管取付穴がその他側に設けられている一方、ガス吸気口が該関連吸気部材に連通することを特徴とする中空弁本体と、該管取付穴と該ガス吸気口間の該弁本体に形成される弁座穴であって、該弁座穴が円錐台形断面を有し、該弁座穴が該管取付穴から該ガス吸気口に延びるにつれて徐々に増加する面積を持つことを特徴とする弁座穴と、該ガス吸気口と該弁座穴間の該弁本体内に定義されたガス流路に配設されて、該ガス流路に沿って移動可能である一方、該弁座穴を介して延びるバルブステムであって、該バルブステムが該弁座穴の断面に一致する断面を有することを特徴とするバブルステムと、該バルブステム一端から該管取付穴に延びる押圧突起部と、該ガス流路に配設されて該バルブステム他端を弾性支持するバネ。
【００１８】
さらに、該骨壷収納箱には、関連した該弁取付部材の１つの内面にそれぞれに形成される段差と、関連した該段差の１つと関連した該吸気部材の１つとの間に挟入されるように、関連した該弁取付部材の１つにそれぞれ配設されるマイクロフィルターとを含むこともできる。
【００１９】
さらに、該骨壷収納箱には、該関連弁取付部材の内部に連通するように、関連した該弁取付部材の１つにそれぞれ取り付けられる安全弁を含むこともできる。
【００２０】
該カバープレートのそれぞれは、その中央部分で開くことができ、該中央部分に取り付けられた透明部材を備えることもできる。
【００２１】
さらに、該骨壷収納箱には、その一端が関連した該吸気部材の１つにそれぞれ接続される一方、その他端が関連した該弁取付部材の１つに接続されている注入ホースを含むこともできる。
【００２２】
さらに、該骨壷収納箱には、その一端が関連した該吸気部材の１つにそれぞれ接続される注入ホースと、該注入ホースのそれぞれの他端通常に接続される分配管と、該分配管に接続されて該注入弁を備える弁取付部材とを含むこともできる。
【００２３】
さらに、該骨壷収納箱には、関連した該カバープレートまたは透明部材の１つにそれぞれ取り付けられる圧力計を含むこともできる。
【００２４】
別の態様によれば、本発明は、壷受入空間を有する収納箱本体であり、その前側で開口して骨壷を該壷受入空間内に安置することができ、該骨壷には火葬遺骨が保管されることを特徴とする収納箱本体と、該壷受入空間に対応する位置で該収納箱本体に着脱可能に取り付けられて該壷受入空間の前側を覆うためのカバープレートとを具備する骨壷収納箱を提供するものであって、さらに、該収納箱は下記を具備する。該壷受入空間の周囲の該収納箱本体の一部分と、該壷受入空間に対応する該カバープレートとの間に挟入されるシール部材と、該壷受入空間に連通する一方、該収納箱本体の後壁の一部分から突出する中空吸気部材と、該吸気部材に連結される弁取付部材と、該弁取付部材に嵌着され、ガスを該注入穴を介して該吸気部材に注入できるように注入穴が中央に設けられている注入弁。
【００２５】
該骨壷収納箱では、該注入弁には下記を含むことができる。該弁取付部材に堅固に嵌着される中空弁本体であって、該弁本体がその片側に設けられており、管取付穴がその他側に設けられている一方、ガス吸気口が該吸気部材に連通することを特徴とする中空弁本体と、該管取付穴と該ガス吸気口間の該弁本体に形成される弁座穴であって、該弁座穴が円錐台形断面を有し、該弁座穴が該管取付穴から該ガス吸気口に延びるにつれて徐々に増加する面積を持つことを特徴とする弁座穴と、該ガス吸気口と該弁座穴間の該弁本体内に定義されたガス流路に配設されて、該ガス流路に沿って移動可能である一方、該弁座穴を介して延びるバルブステムであって、該バルブステムが該弁座穴の断面に一致する断面を有することを特徴とするバブルステムと、該バルブステム一端から該管取付穴に延びる押圧突起部と、該ガス流路に配設されて該バルブステム他端を弾性支持するバネ。
【００２６】
さらに、該骨壷収納箱には、該弁取付部材の内面に形成される段差と、該段差と該吸気部材との間に挟入されるように、該弁取付部材に配設されるマイクロフィルターとを含むこともできる。
【００２７】
さらに、該骨壷収納箱には、該弁取付部材の内部に連通するように、該弁取付部材に取り付けられる安全弁を含むこともできる。
【００２８】
該骨壷収納箱では、該カバープレートはその中央部分で開くことができ、該中央部分に取り付けられた透明部材を備えることもできる。
【００２９】
該骨壷収納箱では、該収納箱本体を、その対向壁の外面に設けることができ、複数の係合突出部及び複数の係合溝を、それぞれ該係合突出部に対応して設けることができる。
【００３０】
さらに、該骨壷収納箱には、該カバープレートまたは透明部材に取り付けられた圧力計を含むこともできる。
【発明を実施するための最良の形態】
【００３１】
ここに、本発明を付属図面に図解したその好適な実施形態を参照してより詳細にを説明する。
【００３２】
図１は、本発明の実施形態に係る骨壷収納箱を図式的に説明する前面から見た分解斜視図である。図２は、後面から見た第１図に対応する斜視図である。図３は、図１に示した骨壷収納箱に含まれている弁取付部材を図解する断面図である。
【００３３】
参照番号１によって指定される本発明の実施形態に係る骨壷収納箱には、格子構造を有して縦横に配設される複数の壷受入空間１１０を定義する収納箱本体１００が含まれる。各壷受入空間１１０は、その片側、たとえばその前側が開いており、骨壷２００が該壷受入空間１１０内に安置されることを可能にする。各骨壷２００には、死者の遺骨を火葬及び粉砕することによって得られる火葬遺骨が保管される。複数のカバープレート１２０は、それぞれに該壷受入空間１１０に対応する位置で該収納箱本体１００に着脱可能に取り付けられ、該壷受入空間１１０のそれぞれの前側を覆う。
【００３４】
本発明の実施形態に係る骨壷収納箱は、ガスを該収納箱本体１００の該壷受入空間に注入するための配置構成を持ち、該収納箱内に安置される骨壷内に保管された火葬遺骨の腐敗及び劣化を最小化するために該壷受入空間を高圧状態または高真空状態に維持することによって、空気公害及び周囲の設備に対する損傷を防止すると同時に、保管される火葬遺骨を長期間にわたって保存するものである。
【００３５】
すなわち、シール部材１０は、各壷受入空間１１０の周囲の該収納箱本体１００の一部分と、該壷受入空間１１０に対応する該カバープレート１２０との間に挟入される。該シール部材１０は、ゴム、シリコン、またはウレタンなどの柔らかい合成樹脂材料でできている。各カバープレート１２０は、該関連シール部材１０が該カバープレート１２０と該収納箱本体１００間に挟入される状態で、ネジを用いて該収納箱本体１００に締着される。
【００３６】
中空円筒状吸気部材２０は、各壷受入空間１１０に対応する該収納箱本体１００の後壁の一部分に設けられる。該吸気部材２０は、該吸気部材２０が該収納箱本体１００と一体化するように該収納箱本体１００の該関連後壁部分から突出させてもよい。あるいは、該吸気部材２０は、該収納箱本体１００から分離させてもよい。後者の場合では、該吸気部材２０を、ネジ連結方式または強制取付方式で該収納箱本体１００に対して密閉可能に連結させてもよい。ネジ山は該吸気部材２０の周面に形成される。
【００３７】
弁取付部材３０は各吸気部材２０に螺結される。注入弁４０は該弁取付部材３０に嵌着される。該注入弁４０には、注入穴が中央に設けられ、ガスが該注入穴を介して該関連吸気部材２０に注入されることを可能にする。該弁取付部材３０は、本図解の場合では該関連吸気部材２０に螺結されているが、強制取付方式によって連結してもよい。
【００３８】
該注入弁４０には、該関連弁取付部材３０に堅固に嵌着される中空弁本体４２を含んでもよい。該弁本体４２には、周知のガス充填機から延びるガス注入管を挿入できる管取付穴４３がその片側に設けられる。また、該弁本体４２には、その他側では該関連吸気部材２０に連通する一方、該弁本体４２の内部を経由してその片側で該取付穴４３に連通するガス吸気口４４がその他側に設けられる。弁座穴４５は、該管取付穴４３と該ガス吸気口４４間の該弁本体４２に形成される。該弁座穴４５は、その面積が該管取付穴４３から該ガス吸気口４４に延びるにつれて徐々に増加する円錐台形断面を持つ。バルブステム４８は、該ガス吸気口４４と該弁座穴４５間の該弁本体４２の内部に定義されたガス流路４９内に配設される。該バルブステム４８は該弁座穴４５を介して延び、該ガス流路４９に沿って移動可能である。該バルブステム４８は、該弁座穴４５の断面形状に一致する断面形状を持つ。押圧突起部４６は、該バルブステム４８の一端から該管取付穴４３に延びる。該押圧突起部４６は、該ガス注入管が該管取付穴４３に嵌装されるにつれて該ガス充填機のガス注入管によって押圧され、その結果、該バルブステム４８は該弁座穴４５から離される。バネＳは、該ガス流路に配設され、該バルブステムの他端を弾性支持する。
【００３９】
各壷受入空間１１０に該壷受入空間１１０の外側から注入されるガスの圧力を容易に確認するために、汎用圧力計１５を、ネジ連結方式または強制取付方式で該関連カバープレート１２０に取り付ける。該圧力計１５は該関連壷受入空間１１０に連通する。
【００４０】
図４及び図５は、該骨壷収納箱使用に対して実行された該注入弁の作動を図解する断面図である。図４は、ガスが該骨壷収納箱に注入される状態を図解する。図５は、該骨壷収納箱へのガス注入が完了した状態を図解するものである。
【００４１】
上記の配置構成を有する該骨壷収納箱内に死者の火葬遺骨を保管することが所望される際、該火葬遺骨を保管する該骨壷２００は、先ず該収納箱本体１００の１壷受入空間１１０に安置される。
【００４２】
その後、図２に示すように、各カバープレート１２０は、該関連シール部材１０が該カバープレート１２０と該収納箱本体１００間に挟入される状態で、ネジを用いて該収納箱本体１００に締着され、それによって該壷受入空間１１０が密封される。
【００４３】
該ガス充填機の該ガス注入管Ｐは、次いで該弁取付部材３０に嵌着する該注入弁４０の該弁本体４２に設けられた該管取付穴４３に嵌装される。なお、該弁取付部材３０は、該密閉壷受入空間１１０に対応する該収納箱本体１００の後壁部分に設けられた該吸気部材２０に連結される。該ガス注入管Ｐの嵌装に従って、該弁本体４２の該ガス流路４９内の該バネＳによって弾性支持される該バルブステム４８の該押圧突起部４６は押圧され、その結果、該バルブステム４８は、該バネＳの復元力に逆らって該弁座穴４５から離される。その結果、該弁座穴４５は第４図に示すように開かれる。従って、該ガス注入管Ｐから注入されたガスは、該ガス流路４９、ガス吸気口４４及び吸気部材２０を経由して該密閉壷受入空間１１０に導入される。かくして、該壷受入空間１１０の内部は高圧状態または高真空状態となる。
【００４４】
該壷受入空間１１０の内部が該高圧状態または高真空状態である条件下で該ガス注入管Ｐが該管取付穴４３から分離されると、図５に示すように、該バルブステム４８は該バネＳの復元力によって該ガス流路４９内の該弁座穴４５に向かって移動され、それによって該弁座穴４５が閉じられる。かくして、該壷受入空間１１０の内部は高圧状態または高真空状態に維持される。
【００４５】
本発明の上記実施形態によると、簡素な構造を用い、適宜かつ簡素な工程を介して、各壷受入空間の内部を高圧状態または高真空状態に維持することが可能であり、したがって、腐敗または劣化させずに長期間にわたって該骨壷収納箱内に安置される骨壷に保管された火葬遺骨を保存することが可能となる。
【００４６】
図６は、本発明の別の実施形態に係る骨壷収納箱を図解する断面図である。
【００４７】
本実施形態に係る骨壷収納箱は、ガス注入プロセス中に注入されるガスに含まれた異物が該壷受入空間に導入されることを防止することができ、それによって該壷受入空間にクリーンガスのみを注入できる配置構成が付加的に含まれることを除いては、上記の実施形態と同様の配置構成を持つ。
【００４８】
すなわち、本実施形態によれば、段差３２は該弁取付部材３０の内面に形成される。微細粒子形態の異物を濾過するように適合された汎用マイクロフィルターＦは、該弁取付部材３０が該吸気部材２０に連結される状態で、それが該段差３２と該吸気部材２０間に挟入されるように該弁取付部材３０に配設される。
【００４９】
従って、異物を含まないクリーンガスのみを該ガス注入プロセス中に該壷受入空間に注入することが可能となる。
【００５０】
図７は、本発明の別の実施形態に係る骨壷収納箱を図解する断面図である。
【００５１】
本実施形態に係る骨壷収納箱は、該骨壷収納箱内の該関連壷受入空間へのガスの過剰注入のため生じた過剰圧力を放出するために、それが該弁取付部材３０の内部に連通し、それによって過剰圧力によって引き起こされる危険性が排除されるように、安全弁５０が汎用ネジ連結方式で該弁取付部材３０に取り付けられることを除いて、上記の実施形態の配置構成と同様の配置構成を持つ。
【００５２】
該安全弁５０は周知の構造を有することができる。本図解の場合では、該安全弁５０には、該弁取付部材３０の内部に連通する放出通路５２が備わっている中空弁本体と、該弁本体内に受け入れられ、バネによって弾性支持されて該放出通路５２を閉じるボール５４とが含まれる。該壷受入空間へのガスの過剰注入のため過剰圧力が生成されると、該ボール５４は、過剰圧力による該バネの復元力に逆らって該放出通路５２から離され、それによって該放出通路５２が開かれる。その結果、該過剰圧力は開放される。かくして、該壷受入空間へのガスの過剰注入のため生じた過剰圧力に対して所望の安全性を確保することが可能となる。
【００５３】
図８は、本発明の別の実施形態に係る骨壷収納箱を図解する断面図である。
【００５４】
本実施形態に係る骨壷収納箱は、各カバープレート１２０がその中央部分で開いており、該骨壷が該収納箱１内の該収納箱本体１００の該壷受入空間１１０内に適切に保存されているかどうかを確認するために、ガラスまたは透明アクリルでできている透明部材６０が、汎用接着剤を用いて該カバープレート１２０の該開口部分に取り付けることができることを除いて、上記の実施形態の配置構成と同様の配置構成を持つ。
【００５５】
従って、該収納箱の壷受入空間内に安置される該骨壷の保存状態を該収納箱の外側から容易に確認することが可能である。
【００５６】
この場合、ユーザが該壷受入空間の外側から各壷受入空間に注入されるガスの圧力を容易に確認できるように適合された該圧力計１５は、ネジ連結方式または強制取付方式で該関連透明部材６０に取り付けることができる。該圧力計１５は該関連壷受入空間に連通する。
【００５７】
図９は、本発明の別の実施形態に係る骨壷収納箱を図解する断面図である。
【００５８】
本実施形態に係る骨壷収納箱は、ガス注入プロセスに関して、該収納箱１００の後側に実用的空間が十分でないか、または皆無の場合に対処することができる配置構成が付加的に含まれることを除いては、上記の実施形態と同様の配置構成を持つ。本実施形態によれば、注入ホースＨは、その一端で該収納箱本体１００の後壁に設けられた各吸気部材２０に直接的に接続される。該注入弁を備える各弁取付部材３０は、該関連注入ホースＨの他端に接続される。
【００５９】
かくして、本発明に係る収納箱本体の後側を始めとする任意の位置で該壷受入空間へのガス注入を容易かつ便宜的に実現することが可能となる。
【００６０】
図１０は、本発明の別の実施形態に係る骨壷収納箱を図解する断面図である。
【００６１】
本実施形態に係る骨壷収納箱は、該該収納箱本体１００の後壁に設けられたそれぞれの吸気部材２０に接続される該注入ホースＨが単一の分配管７０に通常に接続され、該壷受入空間へのガス注入が個別方式で実行される第９図の場合に比べて該収納箱の該壷受入空間にガスを同時注入するため該分配管７０には、該注入弁を備える１つの弁取付部材３０が設けられることを除いて、上記の実施形態の配置構成と同様の配置構成を持つ。
【００６２】
かくして、該壷受入空間へのガス注入は、個別方式ばかりでなく、同時方式によっても実行することができる後者方式の方が適宜性に優れている。
【００６３】
図１１は、本発明の別の実施形態に係るユニット式骨壷収納箱を図解する斜視図である。図１２は、図１１に示した該ユニット式骨壷収納箱を図解する断面図である。
【００６４】
上記の実施形態に係る骨壷収納箱は、複数の壷受入空間が単一収納箱本体内に設けられている構造を有するが、図１１のユニット式骨壷収納箱は、単一収納箱本体内に単一の壷受入空間が設けられている構造になっている。上記の実施形態と同様に、該収納箱内に安置される骨壷内に保管された火葬遺骨の腐敗及び劣化を防止することが可能である。
【００６５】
本実施形態によれば、参照番号１ａによって指定される該ユニット式骨壷収納箱には、壷受入空間１１０ａを有する収納箱本体１００ａが含まれる。該壷受入空間１１０ａは、その片側、たとえばその前側が開いており、火葬遺骨を保管する骨壷２００が該壷受入空間１１０ａ内に安置されることを可能にする。カバープレート１２０ａは、該収納箱本体１００ａに着脱可能に取り付けられ、該壷受入空間１１０ａの前側を覆う。
【００６６】
シール部材１０は、該壷受入空間１１０ａ周囲の該収納箱本体１００ａの周辺縁と該カバープレート１２０ａ間に挟入される。該シール部材１０は、ゴム、シリコン、またはウレタンなどの柔らかい合成樹脂材料でできている。該カバープレート１２０ａは、該シール部材１０が該カバープレート１２０ａと該収納箱本体１００ａ間に挟入される状態で、ネジを用いて該収納箱本体１００ａに締着される。
【００６７】
中空円筒状吸気部材２０は、該収納箱本体１００ａの後壁に設けられる。該吸気部材２０は、該吸気部材２０が該壷受入空間１１０ａに連通するように該該収納箱本体１００ａの後壁から突出させる。ネジ山は該吸気部材２０の周面に形成される。
【００６８】
弁取付部材３０は該吸気部材２０に螺結される。注入弁４０は該弁取付部材３０に嵌着される。該注入弁４０には、注入穴が中央に設けられ、ガスが該注入穴を介して該吸気部材２０に注入されることを可能にする。該弁取付部材３０は、本図解の場合では該吸気部材２０に螺結されているが、強制取付方式によって連結してもよい。
【００６９】
該注入弁４０には、該弁取付部材３０に堅固に嵌着される中空弁本体４２を含んでもよい。該弁本体４２には、周知のガス充填機から延びるガス注入管を挿入できる管取付穴４３がその片側に設けられる。また、該弁本体４２には、その他側では該吸気部材２０に連通する一方、該弁本体４２の内部を経由してその片側で該取付穴４３に連通するガス吸気口４４がその他側に設けられる。弁座穴４５は、該管取付穴４３と該ガス吸気口４４間の該弁本体４２に形成される。該弁座穴４５は、その面積が該管取付穴４３から該ガス吸気口４４に延びるにつれて徐々に増加する円錐台形断面を持つ。バルブステム４８は、該ガス吸気口４４と該弁座穴４５間の該弁本体４２の内部に定義されたガス流路４９内に配設される。
【００７０】
該バルブステム４８は該弁座穴４５を介して延び、該ガス流路４９に沿って移動可能である。該バルブステム４８は、該弁座穴４５の断面形状に一致する断面形状を持つ。押圧突起部４６は、該バルブステム４８の一端から該管取付穴４３に延びる。該押圧突起部４６は、該ガス注入管が該管取付穴４３に嵌装されるにつれて該ガス充填機のガス注入管によって押圧され、その結果、該バルブステム４８は該弁座穴４５から離される。
【００７１】
バネＳは、該ガス流路４９に配設され、該バルブステム４８の他端を弾性支持する。
【００７２】
上記の配置構成を有する該骨壷収納箱内に死者の火葬遺骨を保管することが所望される際、該火葬遺骨を保管する該骨壷２００ａは、先ず該収納箱本体１００ａの該壷受入空間１１０ａに安置される。その後、各カバープレート１２０は、該関連シール部材１０が該カバープレート１２０と該収納箱本体１００ａ間に挟入される状態で、ネジを用いて該収納箱本体１００ａに締着され、それによって該壷受入空間１１０ａが密封される。
【００７３】
該ガス充填機の該ガス注入管Ｐ（図４）は、次いで該弁取付部材３０に嵌着する該注入弁４０の該弁本体４２に設けられた該管取付穴４３に嵌装される。なお、該弁取付部材３０は、該収納箱本体１００ａの後壁に設けられた該吸気部材２０に連結される。該ガス注入管Ｐの嵌装に従って、該弁本体４２の該ガス流路４９内の該バネＳによって弾性支持される該バルブステム４８の該押圧突起部４６は押圧され、その結果、該バルブステム４８は、該バネＳの復元力に逆らって該弁座穴４５から離される。その結果、該弁座穴４５は開かれる。従って、該ガス注入管Ｐから注入されたガスは、該ガス流路４９、ガス吸気口４４及び吸気部材２０を経由して該密閉壷受入空間１１０に導入される。かくして、該壷受入空間１１０の内部は高圧状態または高真空状態となる。
【００７４】
該壷受入空間１１０ａの内部が該高圧状態または高真空状態である条件下で該ガス注入管Ｐが該管取付穴４３から分離されると、該バルブステム４８は該バネＳの復元力によって該ガス流路４９内の該弁座穴４５に向かって移動され、それによって該弁座穴４５が閉じられる。
【００７５】
かくして、該壷受入空間１１０ａの内部は高圧状態または高真空状態に維持される。
【００７６】
本発明の上記実施形態によると、簡素な構造を用い、適宜かつ簡素な工程を介して、該壷受入空間の内部を高圧状態または高真空状態に維持することが可能であり、したがって、腐敗または劣化させずに長期間にわたって該ユニット式骨壷収納箱内に安置される骨壷に保管された火葬遺骨を保存することが可能となる。
【００７７】
ガス注入プロセスにおいて注入されるガスに含まれた異物が該壷受入空間に導入されることを防止するために、段差３２を該弁取付部材３０の内面に形成することができ、異物を濾過するように適合された汎用マイクロフィルターＦを、該弁取付部材３０が該吸気部材２０に連結される状態で、それが該段差３２と該吸気部材２０間に挟入されるように該弁取付部材３０内に配設することができる。
【００７８】
また、安全弁５０を、該ユニット式骨壷収納箱内の該壷受入空間へのガスの過剰注入のため生じた過剰圧力を放出するために、該安全弁５０が該弁取付部材３０の内部に連通し、それによって過剰圧力に対して所望の安全性を確保するように、該弁取付部材３０に取り付けることもできる。
【００７９】
該安全弁５０には、該弁取付部材３０の内部に連通する放出通路５２が備わっている中空弁本体と、該弁本体内に受け入れられ、バネによって弾性支持されて該放出通路５２を閉じるボール５４とを含むことができる。
【００８０】
該カバープレート１２０の代わりに、その中央部分が開いているカバープレート１２０ａを使用することも可能である。この場合は、該収納箱の外側から該収納箱の該壷受入空間内に安置された該骨壷の保存状態を容易に確認するために、汎用接着剤を用いて、ガラスまたは透明アクリルでできている透明部材６０を該カバープレート１２０ａの開口部分に取り付けることができる。
【００８１】
圧力計１５は、ネジ連結方式または強制取付方式で、該カバープレート１２０または該カバープレート１２０ａの該透明部材６０に取り付けることができる。この場合は、該壷受入空間の外側から各壷受入空間へのガス注入圧力を容易に確認することが可能である。
【００８２】
注入ホースＨは、その一端で該収納箱本体１００の後壁に設けられた該吸気部材２０に直接的に接続することができる。該注入弁を備える該弁取付部材３０は、該注入ホースＨの他端に接続される。この場合は、該収納箱本体の後側を始めとする任意の位置で該壷受入空間へのガス注入を容易かつ便宜的に実現することが可能となる。
【００８３】
上記の配置構成をそれぞれ有する複数のユニット式骨壷収納箱は、所望の積み重ね構造となるように積み重ねることができる。また、ユニット式骨壷収納箱の積み重ね構造は、該ユニット式骨壷収納箱が設置される領域の地形に応じて適切に決定することができる。この場合は、該骨壷へのガス注入は、個別方式ばかりでなく、同時方式によっても実行することができる。
【００８４】
図１１に示すように、ユニット式骨壷収納箱の積み重ねをより容易に達成するために、各ユニット式骨壷収納箱の本体１００ａには、その一壁の外面に複数の係合突出部８０を設けることができると同時に、前者の壁に対向する壁の外面に該係合突出部８０に対応する複数の係合溝８０ａを設けることができる。
【産業上の利用可能性】
【００８５】
上記説明から明白なように、本発明によれば、簡素な構造を有する骨壷の適宜安置を可能にする能力があり、壷受入空間内へのガス注入を簡素に実現して該壷受入空間を高圧状態または高真空状態に維持し、それによって安置される該骨壷内に保管された火葬遺骨の腐敗及び劣化を最小化することができる骨壷収納箱を提供することが可能である。従って、経済的利点を得て、火葬遺骨の腐敗または劣化によって引き起こされる空気公害を防止することが可能である。また、保管される火葬遺骨は、周囲の設備に対する損傷を引き起こすなしに長期間にわたって保存することができる。
【００８６】
注入されるガスに含まれた異物は、ガス注入プロセスにおいてマイクロフィルターによって濾過されるので、異物を含まないクリーンガスのみが注入できるという利点がある。
【００８７】
過剰圧力に対する安全性は、安全弁によって確保される。従って、該骨壷収納箱の内部を最適な状態、すなわち、適切な圧力下に維持することが可能である。
【００８８】
該収納箱内の骨壷の安置状態は、それぞれのカバープレートに形成される透明部材を介して該収納箱の外側から容易に確認できる。
【００８９】
従って、該骨壷が損傷しているかどうかが迅速に確認できる。また、肉眼で骨壷を見ることができるので、ユーザは心から火葬された遺骨に対して敬意を表することができる。
【００９０】
また、圧力計を関連カバープレートに取り付けることによって、各壷受入空間へのガス注入圧力を容易に確認することが可能である。
【００９１】
該壷受入空間へのガス注入は、随時的な位置で実行することができる。具体的には、該注入位置は、該骨壷収納箱が設置される領域の地形に応じて適切に決定することができる。
【００９２】
また、該壷受入空間へのガス注入は、個別方式でも、 または同時方式でも実行することができる。かくして、ガス注入がより適宜な条件下で実行されるという利点がある。
【００９３】
また、本発明によれば、単一の壷受入空間が単一収納箱本体内に設けられると同時に、その中に骨壷の適宜安置を可能にする能力のある簡素な構造を有し、それによって安置される該骨壷内に保管された火葬遺骨の腐敗及び劣化を最小化することができるユニット式骨壷を提供することも可能である。従って、経済的利点を得ること、及び種々の積み重ね構造を有たせるようにかかるユニット式骨壷を積み重ねることが可能である。
【００９４】
また、ユニット式骨壷収納箱の積み重ね構造は、該ユニット式骨壷収納箱が設置される領域の地形に応じて適切に決定することができる。
【００９５】
該係合突出部及び係合溝が、各ユニット式骨壷収納箱の対向壁のそれぞれの外面に設けられる場合、ユニット式骨壷収納箱の積み重ねは、より容易かつ便宜的に達成することができる。
【００９６】
本発明の実施形態のいくつかを示しかつ説明したが、特許請求の範囲及びそれらの等価物においてその範囲を定義した本発明の原理及び真の趣旨から逸脱することなく本実施形態を変更を行い得ることは当業者であれば理解されよう。
【図面の簡単な説明】
【００９７】
【図１】本発明の実施形態に係る骨壷収納箱を図式的に説明する前面から見た分解斜視図。
【図２】後面から見た図１に対応する斜視図。
【図３】図１に示した骨壷収納箱に含まれている弁取付部材を図解する断面図。
【図４】該骨壷収納箱使用に対して実行された注入弁の作動を図解する断面図であって、ガスが該骨壷収納箱に注入される状態を図解する図。
【図５】該骨壷収納箱使用に対して実行された注入弁の作動を図解する断面図であって、該骨壷収納箱へのガス注入が完了した状態を図解する図。
【図６】本発明の別の実施形態に係る骨壷収納箱を図解する断面図。
【図７】本発明の別の実施形態に係る骨壷収納箱を図解する断面図。
【図８】本発明の別の実施形態に係る骨壷収納箱を図解する断面図。
【図９】本発明の別の実施形態に係る骨壷収納箱を図解する断面図。
【図１０】本発明の別の実施形態に係る骨壷収納箱を図解する断面図。
【図１１】本発明の別の実施形態に係るユニット式骨壷収納箱を図解する斜視図。
【図１２】図１１に示した該ユニット式骨壷収納箱を図解する断面図。
【図１】
2007503361.tif 000003
【図２】
2007503361.tif 000004
【図３】
2007503361.tif 000005
【図４】
2007503361.tif 000006
【図５】
2007503361.tif 000007
【図６】
2007503361.tif 000008
【図７】
2007503361.tif 000009
【図８】
2007503361.tif 000010
【図９】
2007503361.tif 000011
【図１０】
2007503361.tif 000012
【図１１】
2007503361.tif 000013
【図１２】
2007503361.tif 000014
【手続補正書】
【提出日】平成16年11月12日(2004.11.12)
【手続補正１】
【補正対象書類名】特許請求の範囲
【補正対象項目名】全文
【補正方法】変更
【補正の内容】
【特許請求の範囲】
【請求項１】
複数の壷受入空間を有する収納箱本体であり、そのそれぞれが前側で開口して骨壷を該壷受入空間内に安置することができ、該骨壷のそれぞれには火葬遺骨が保管されることを特徴とする収納箱本体と、該壷受入空間に対応する位置で該収納箱本体にそれぞれ着脱可能に取り付けられてそれぞれの該壷受入空間の前側を覆うための複数のカバープレートとを具備する骨壷収納箱であって、さらに下記も具備する骨壷収納箱。関連した該壷受入空間の１つの周囲の該収納箱本体の一部分と、関連した該壷受入空間の１つに対応する該カバープレートとの間にそれぞれ挟入されるシール部材と、関連した該壷受入空間の１つに対応する該収納箱本体の後壁の一部分からそれぞれ突出する中空吸気部材であって、該吸気部材のそれぞれが関連した該壷受入空間のそれぞれに連通することを特徴とする中空吸気部材と、関連した該吸気部材の１つにそれぞれ連結する弁取付部材と、関連した該弁取付部材の１つにそれぞれ嵌着され、ガスを該注入穴を介して該関連吸気部材に注入できるように注入穴が中央に設けられている注入弁であって、該注入弁のそれぞれが下記を具備することを特徴とする注入弁。該関連弁取付部材に堅固に嵌着される中空弁本体であって、該弁本体がその片側に設けられており、管取付穴がその他側に設けられている一方、ガス吸気口が該関連吸気部材に連通することを特徴とする中空弁本体と、該管取付穴と該ガス吸気口間の該弁本体に形成される弁座穴であって、該弁座穴が円錐台形断面を有し、該弁座穴が該管取付穴から該ガス吸気口に延びるにつれて徐々に増加する面積を持つことを特徴とする弁座穴と、該ガス吸気口と該弁座穴間の該弁本体内に定義されたガス流路に配設されて、該ガス流路に沿って移動可能である一方、該弁座穴を介して延びるバルブステムであって、該バルブステムが該弁座穴の断面に一致する断面を有することを特徴とするバブルステムと、該バルブステム一端から該管取付穴に延びる押圧突起部と、該ガス流路に配設されて該バルブステム他端を弾性支持するバネ。
【請求項２】
削除
【請求項３】
請求項１に係る骨壷収納箱であって、さらに下記を具備する骨壷収納箱。関連した該弁取付部材の１つの内面にそれぞれ形成される段差と、関連した該弁取付部材の１つにそれぞれ配設されるマイクロフィルターであって、該マイクロフィルターが、関連した該段差の１つと関連した該吸気部材の１つとの間に挟入されることを特徴とするマイクロフィルター。
【請求項４】
請求項１または３に係る骨壷収納箱であって、さらに下記を具備する骨壷収納箱。該関連弁取付部材の内部に連通するように、関連した該弁取付部材の１つにそれぞれ取り付けられる安全弁。
【請求項５】
下記を特徴とする請求項１に係る骨壷収納箱。該カバープレートのそれぞれが、その中央部分で開き、該中央部分に取り付けられた透明部材を備えていること。
【請求項６】
請求項１に係る骨壷収納箱であって、さらに下記を具備する骨壷収納箱。注入ホースであって、その一端が関連した該吸気部材の１つにそれぞれ接続される一方、その他端が関連した該弁取付部材の１つに接続されている注入ホース。
【請求項７】
請求項１に係る骨壷収納箱であって、さらに下記を具備する骨壷収納箱。注入ホースであって、その一端が関連した該吸気部材の１つにそれぞれ接続されている注入ホースと、通常、該注入ホースのそれぞれの他端に接続される分配管と、該分配管に接続され、該注入弁を備える弁取付部材。
【請求項８】
請求項１または５に係る骨壷収納箱であって、さらに下記を具備する骨壷収納箱。関連した該カバープレートまたは透明部材の１つにそれぞれ取り付けられる圧力計。
【請求項９】
壷受入空間を有する収納箱本体であり、その前側で開口して骨壷を該壷受入空間内に安置することができ、該骨壷には火葬遺骨が保管されることを特徴とする収納箱本体と、該壷受入空間に対応する位置で該収納箱本体に着脱可能に取り付けられて該壷受入空間の前側を覆うためのカバープレートとを具備する骨壷収納箱であって、さらに下記も具備する骨壷収納箱。該壷受入空間の周囲の該収納箱本体の一部分と、該壷受入空間に対応する該カバープレートとの間に挟入されるシール部材と、該壷受入空間に連通する一方、該収納箱本体の後壁の一部分から突出する中空吸気部材と、該吸気部材に連結される弁取付部材と、該弁取付部材に嵌着され、ガスを該注入穴を介して該吸気部材に注入できるように注入穴が中央に設けられている注入弁であって、該注入弁が下記を具備することを特徴とする注入弁。該弁取付部材に堅固に嵌着される中空弁本体であって、該弁本体がその片側に設けられており、管取付穴がその他側に設けられている一方、ガス吸気口が該吸気部材に連通することを特徴とする中空弁本体と、該管取付穴と該ガス吸気口間の該弁本体に形成される弁座穴であって、該弁座穴が円錐台形断面を有し、該弁座穴が該管取付穴から該ガス吸気口に延びるにつれて徐々に増加する面積を持つことを特徴とする弁座穴と、該ガス吸気口と該弁座穴間の該弁本体内に定義されたガス流路に配設されて、該ガス流路に沿って移動可能である一方、該弁座穴を介して延びるバルブステムであって、該バルブステムが該弁座穴の断面に一致する断面を有することを特徴とするバブルステムと、該バルブステム一端から該管取付穴に延びる押圧突起部と、該ガス流路に配設されて該バルブステム他端を弾性支持するバネ。 
【請求項１０】
削除
【請求項１１】
請求項９に係る骨壷収納箱であって、さらに下記を具備する骨壷収納箱。該弁取付部材の内面に形成される段差と、該弁取付部材内に配設されるマイクロフィルターであって、該マイクロフィルターが該段差と該吸気部材間に挟入されることを特徴とするマイクロフィルター。
【請求項１２】
請求項９または１１に係る骨壷収納箱であって、さらに下記を具備する骨壷収納箱。該弁取付部材の内部に連通するように、該弁取付部材に取り付けられる安全弁。
【請求項１３】
請求項９に係る骨壷収納箱であって、下記を特徴とする骨壷収納箱。該カバープレートが、その中央部分で開き、該中央部分に取り付けられた透明部材を備えていること。
【請求項１４】
該収納箱本体が、その対向壁の外面に設けられており、複数の係合突出部及び複数の係合溝がそれぞれ該係合突出部に対応して設けられていることを特徴とする請求項９に係る骨壷収納箱。
【請求項１５】
請求項９または１３に係る骨壷収納箱であって、さらに下記を具備する骨壷収納箱。該カバープレートまたは透明部材に取り付けられる圧力計。
【国際調査報告】
2007503361.tif 000015
2007503361.tif 000016